(57)【要約】      （修正有）【課題】毛染めを行う際の、首筋、耳、顔への毛染め剤の付着を防止し、染毛後はヘヤキャップとして使用でき、さらに、毛染め剤を洗い流す際または洗髪時に顔を濡らさずに済む毛染・洗髪用カバーを提供する。【解決手段】頭部の周囲を被覆するシート１と、シート１の上縁を頭髪の生え際に沿って密着させた状態で頭部に取り付けるベルト部２と、シート１の下縁に沿って配設されて、シート１の開口４を収束させる紐５と、シート１の開口４を収束させた状態で紐５の戻りを防止する紐留め６を設けている。【選択図】図１
2016202718.tif 000002
【特許請求の範囲】
【請求項１】
頭部の周囲を被覆するシートと、
シートの上縁を頭髪の生え際に沿って密着させた状態で頭部に取り付けるベルト部と、
シートの下縁に沿って配設されて、シートの開口を収束させる紐を備えたことを特徴とする毛染・洗髪用カバー。
【請求項２】
シートの開口を収束させた状態で紐の戻りを防止する紐留めを設けたことを特徴とする請求項１記載の毛染・洗髪用カバー。
【請求項３】
シートの下縁は外側に向かって巻き上がり方向に付勢されていることを特徴とする請求項１〜２いずれか記載の毛染・洗髪用カバー。
【請求項４】
シートの下縁周りに所定間隔をおいて複数の紐の引出部位を配置し、それぞれの引出部位に開口を収束させた状態で紐の戻りを防止する紐留めを設けたことを特徴とする請求項１〜３いずれか記載の毛染・洗髪用カバー。
【請求項５】
シートの下縁に沿って２本の紐を配設し、シートの左右に紐の引出部位を配置し、別々の紐をそれぞれ左右から引っ張ることによって開口を収束させる構成とした請求項１〜３いずれか記載の毛染・洗髪用カバー。
【発明の詳細な説明】
【技術分野】
【０００１】
本発明は毛染・洗髪用カバーに関し、特に、毛染めを行う際の、首筋、耳、顔への毛染め剤の付着を防止し、染毛後はヘヤキャップとして使用でき、さらに、毛染め剤を洗い流す際または洗髪時に顔を濡らさずに済む毛染・洗髪用カバーに関する。
【背景技術】
【０００２】
毛染め処理や洗髪時には顔に染料や水が付着するおそれがあり、この染料や水の付着を防止するために、実登３０３３８１１号公報に記載された毛染め用ケープが提案されている。
このケープは、図６に示すように、シート材２０に首を取り巻く開口部２１を設け、その開口部にゴム紐を内挿し、毛染め時に首から肩にかけてシートで覆い、染料の付着を防止するものである。
【先行技術文献】
【特許文献】
【０００３】
【特許文献１】実用新案登録３０３３８１１号公報
【発明の概要】
【発明が解決しようとする課題】
【０００４】
しかしながら、前記従来の技術では、染毛剤を塗布する際、シート材で覆われていない耳や首筋に染料が付着することがある。
本発明は、かかる従来の問題を解決するためになされたもので、その目的とするところは、毛染めを行う際の、首筋、耳、顔への毛染め剤の付着を防止し、染毛後はヘヤキャップとして使用でき、さらに、毛染め剤を洗い流す際または洗髪時に顔を濡らさずに済む毛染・洗髪用カバーを提供することにある。
【課題を解決するための手段】
【０００５】
前記目的を達成するための手段として請求項１記載の毛染・洗髪用カバーでは、頭部の周囲を被覆するシートと、シートの上縁を頭髪の生え際に沿って密着させた状態で頭部に取り付けるベルト部と、シートの下縁に沿って配設されて、シートの開口を収束させる紐を備えたことを特徴とする。
【０００６】
請求項２記載の毛染・洗髪用カバーでは、請求項１記載の毛染・洗髪用カバーにおいて、シートの開口を収束させた状態で紐の戻りを防止する紐留めを設けたことを特徴とする。
【０００７】
請求項３記載の毛染・洗髪用カバーでは、請求項１〜２いずれか記載の毛染・洗髪用カバーにおいて、シートの下縁は外側に向かって巻き上がり方向に付勢されていることを特徴とする。
【０００８】
請求項４記載の毛染・洗髪用カバーでは、請求項１〜３いずれか記載の毛染・洗髪用カバーにおいて、シートの下縁周りに所定間隔をおいて複数の紐の引出部位を配置し、それぞれの引出部位に開口を収束させた状態で紐の戻りを防止する紐留めを設けたことを特徴とする。
【０００９】
請求項５記載の毛染・洗髪用カバーでは、請求項１〜３いずれか記載の毛染・洗髪用カバーにおいて、シートの下縁に沿って２本の紐を配設し、シートの左右に紐の引出部位を配置し、別々の紐をそれぞれ左右から引っ張ることによって開口を収束させる構成とした。
【発明の効果】
【００１０】
請求項１記載の毛染・洗髪用カバーにおいては、ベルト部によってシートの上縁が頭髪の生え際に沿って密着させた状態で頭部に取り付けられ、そのシートよって顔、耳、首筋等が被覆されるので、毛染め剤や水の付着を防止できる。
また、シートの下縁には紐が配設されているので、紐を引っ張るのみでシートに包みこみながら髪をまとめ上げることができ、ヘヤキャップとして利用できる。
ヘヤキャップによって毛染め際と共に髪を包み込んだ後は染料の定着が良好に行われる。
【００１１】
請求項２記載の毛染・洗髪用カバーにおいては、シートの開口を収束させた状態で紐の戻りを防止する紐留めを設けているので、紐を引っ張って開口を収束させた後は、開口の緩みを防止して、確実にシート内に髪をまとめた状態を保持する。
【００１２】
請求項３記載の毛染・洗髪用カバーにおいては、シートの下縁は外側に向かって巻き上がり方向に付勢されているので、ヘヤキャップとして使用する際に、紐をわずかに持ち上げることにより、シートが外側に湾曲しながら髪を包みこむ。そのため、容易にシート内に髪をまとめ上げることができる。
【００１３】
請求項４記載の毛染・洗髪用カバーにおいては、シートの下縁周りに所定間隔をおいて複数の紐の引出部位を配置し、それぞれの引出部位に開口を収束させた状態で紐の戻りを防止する紐留めを設けたので、ヘヤキャップとして使用する際に、髪型、髪の量に応じてシートの形状を調整しながら、開口を徐々に収束させて、髪をまとめ上げることができる。
【００１４】
請求項５記載の毛染・洗髪用カバーにおいては、シートの下縁に沿って２本の紐を配設し、シートの左右に紐の引出部位を配置したので、左右から異なる紐を引っ張り合うことによって、紐が互いにシートを保持する作用が生じる。そのため、左右の手で紐を持ち上げながら引っ張るのみでシートの開口が収束し、シート内に髪が包み込まれる。
【図面の簡単な説明】
【００１５】
【図１】第１実施例に係る毛染・洗髪用カバーの斜視図である。
【図２】毛染・洗髪用カバーの使用状態を示す説明図である。
【図３】開口側から見たシート下端の端面図である。
【図４】第２実施例に係る毛染・洗髪用カバー開口の端面図である。
【図５】第３実施例に係る毛染・洗髪用カバー開口の端面図である。
【図６】従来例に係る毛染・洗髪用カバーの説明図である。
【発明を実施するための形態】
【実施例１】
【００１６】
第１実施例に係る毛染・洗髪用カバーは図１〜３に示すように、頭部の周囲を被覆するシート１と、シート１の上縁を頭髪の生え際に沿って密着させた状態で頭部に取り付けるベルト部２と、シート１の下縁に沿って配設されて、シートの開口４を収束させる紐５と、開口４収束させた状態で紐の戻りを防止する紐留め６から構成されている。
【００１７】
毛染・洗髪用カバーの全体形状は、上端と下端に開口３、４を有し、その開口３と開口４の間にシート１が配設され、上端の開口３から下端の開口４に向かってやや広がった筒状とされている。
シート１は柔軟性を有し、毛染め剤や液体が透過しない透明素材（一例としてビニール）によって形成されている。ビニールの柔軟度、通光率等については使用態様、用途、目的等に応じて適宜設定される。
シート１は顔面の前方に当たる部位のみを透明として他の部分は不透明な素材によって形成することも可能である。
【００１８】
ベルト部２は所定幅を有する伸縮性素材（ゴム紐、ゴムベルト等）によって形成されている。このベルト部２は頭部の周囲に弾力をもって嵌着する機能を有する。
ベルト部２は面ファスナーによって着脱自在とすることも可能であり、また、頭部の大きさ応じてベルト径の調整部を設けることも可能である。
【００１９】
シート１の先縁（下縁７）はシートが一部折り返されて袋状とされて、その袋状の挿通部に紐５が挿通されている。そのため、シートの下縁全周に沿って紐５が配設され、紐５をシート１の外へ引っ張ると開口４が収束（絞られる）する構成となっている。
【００２０】
顔の前方に位置する挿通部の一端からは紐５が露出しており、この露出部位が引出部位９とされている。また、露出した紐５には紐留め６が備えられており、この紐留め６は左右の紐を束ねて留め、軽く押さえると紐留め機能が解除され、紐５がスライドする構成となっている。
【００２１】
次に、図２に基づいて毛染・洗髪用カバーの使用方法を説明する。
図２（ａ）に示すとおり、ベルト部２を頭髪の生え際に沿って頭部に装着すると、シート１の上縁が頭髪の生え際に沿って密着させた状態で頭部に取り付けられ、頭部８の下方周囲がシートによって覆われる。
この状態で頭髪に毛染め剤を塗布、付着させると、ベルト部２から下への液体の付着または流落ちは防止されて、毛染め処置がなされる。
【００２２】
十分に毛染め剤を付着させた後は図２（ｂ）に示すとおり、シート１で髪全体を包み込みながら上方にまとめ上げて、紐５を引っ張って開口４をしぼり、紐止め６を開口近くまでスライドさせて紐同士を留め、開口４の緩みを防止する。
これにより、ヘヤキャップのように髪全体が包みこまれた状態で保持されるので、この状態で染料の定着を待つ。
ヘヤキャップによって毛染め際と共に髪を包み込んだ後は染料の定着が良好に行われる。
【００２３】
染料が定着した後は、紐留め６を解除して開口４を広げて、シート１を下方に垂下させる（ｃ）。
（ａ）と同様に頭部の下方周囲がシートによって覆われので、顔を濡らすことなく染料の洗い落としができる。
なお、図２は毛染めを行う場合について説明したが、顔の化粧等を維持した状態で洗髪のみを行いたい場合であっても、前記と同様にシートを装着することにより顔を濡らさずに洗髪ができる。
【実施例２】
【００２４】
第２実施例の毛染・洗髪用カバーは図４に示すとおり、シートの下縁７周りに所定間隔をおいて複数の紐の引出部位９を配置し、それぞれの引出部位９に開口を収束させた状態で紐の戻りを防止する紐留め６を設けたものである。
本実施例では前後、左右の４か所に紐の引出部位９を設けている。それぞれの紐の引出部位９には左右２か所に紐留め６が配置されている。この紐留め６は通過する紐を圧搾して紐のスライドを規制する狭窄部位であり、所定の強さで引っ張ることにより紐留めに抗して紐５が左右にスライドできる構成となっている。そのため紐留め６と紐留め６の間で紐の長さが調整可能であり、その紐の長さを調整することにより、その区間のシートの形状が自由に調整できる構成となっている。
この紐５と紐留め６があることにより、髪を上方にまとめ上げる際に、髪型、髪の量に応じて、シートの形状を調整しながら、髪を包み込むことができる。シートに髪を包み込んだ後は紐止めによってシートの収束状態が保持される。
なお、本実施例では４か所の引出部位９としたが、さらに多数の引出部位を設けることも可能である。
【実施例３】
【００２５】
第３実施例の毛染・洗髪用カバーは図５に示すとおり、シートの下縁７に沿って２本の紐５、５ａを配設し、シートの左右に紐の引出部位９を設定し、一方の紐５と他方の紐５ａをそれぞれ左右から引っ張ることによって開口を収束させる構成としたものである。
前記実施例では紐は一本であり、紐を引っ張る際に一方の手でシート１を保持しながら、その保持したシート１から他方の手で紐を引っ張る作業が必要である。
しかし、本実施例では２本の紐５、５ａが配設されているので、左右から別々の紐を引っ張り合うことによって、紐自体がシート１を保持する機能を有し、シート１を保持しながら紐５、５ａの引き出しが行われる。そのため本実施例では、カバーを頭部８に装着した状態で左手１０と右手１０ａで紐を持ち上げながら引っ張るのみで髪の包み込みが行われる。
髪を包み込んだ後は、引き出した紐同士５、５ａを頭上で結び合わせることにより、紐の垂れ下がりと紐の戻りを防止できる。なお、必要に応じて図４の図番６に相当する紐留めを設けることも可能である。
【実施例４】
【００２６】
第４実施例の毛染・洗髪用カバーは、前記第１〜３実施例においてシート１の下縁７を外側に向かって巻き上がり方向に付勢した構成である。すなわち、シート１の下側から上側に向かって湾曲癖が付けられたものである。
顔、首筋の被覆カバーとして使用する際には、紐５の荷重によりシートが垂れ下がっているが、ヘヤキャップとして使用する際には、紐５をわずかに持ち上げることにより、シートが外側に湾曲しながら髪を包み込む構成となっている。そのため容易にシート内に髪を包み込むことができる。
シートの湾曲癖の強さはシート材の材質、加工方法または紐の荷重との関係により適宜設定される。
【００２７】
以上、本発明の実施例を説明したが、本発明の具体的な構成はこの実施例に限定されるものではなく、発明の要旨を逸脱しない範囲における設定変更等があっても本発明に含まれる。
【符号の説明】
【００２８】
１  シート
２  ベルト部
３  開口
４  開口
５  紐
６  紐留め
７  下縁
８  頭部
９  引出部位
１０  左手
１０ａ  右手
【図１】
2016202718.tif 000003
【図２】
2016202718.tif 000004
【図３】
2016202718.tif 000005
【図４】
2016202718.tif 000006
【図５】
2016202718.tif 000007
【図６】
2016202718.tif 000008